(57)【要約】【課題】  コンテナのタグを使用することなくコンテナのカテゴリを判断することにより、ＡＶアンプが再生不可能なコンテンツを検索するためのコンテナがユーザ操作によって誤って選択されることを防止すること。【解決手段】  コンテナのタイトルに含まれる文字を判断することによって、コンテナのカテゴリがオーディオであるか否かを判断する。コンテナのタイトルは必ず取得できるので、コンテナのカテゴリがオーディオであるか否かを正確に判断できる。最上位コンテナの１つ下の階層の１又は複数のコンテナの内、カテゴリがオーディオであるコンテナが１つのみである場合には、カテゴリがオーディオのコンテナが最上位コンテナに設定される。従って、元の最上位コンテナの１つ下の階層の１又は複数のコンテナは表示されず、カテゴリがオーディオのコンテナの１つ下の階層の１又は複数のコンテナの一覧が最初に表示される。【選択図】図７
2011013703.tif 000002
【特許請求の範囲】
【請求項１】
サーバに記録された複数カテゴリの複数のコンテンツの中から、ユーザ操作に基づいて、第１カテゴリのコンテンツのみを再生可能なコンテンツ再生装置に再生させるべき所望のコンテンツを検索するために、複数の階層構造を有する複数のコンテナを表示装置に表示させるコンテナ表示制御装置であって、
最上位コンテナの１つ下の階層の１又は複数のコンテナに関するコンテナタイトルをサーバから取得するコンテナ情報取得手段と、
コンテナのカテゴリが前記第１カテゴリであるか否かを判断するための文字が予め登録されている文字登録部と、
最上位コンテナの１つ下の階層の各コンテナについて、タイトルの中に前記文字登録部に登録されている前記第１カテゴリであるか否かを判断するための文字が含まれているか否かを判断することによって、コンテナのカテゴリが前記第１カテゴリであるか否かを判断するカテゴリ判断手段と、
最上位コンテナの１つ下の階層の１又は複数のコンテナの内、カテゴリが前記第１カテゴリであるコンテナが１つのみであるか否かを判断する判断手段と、
カテゴリが前記第１カテゴリであるコンテナが１つのみである場合に、カテゴリが前記第１カテゴリであるコンテナを最上位コンテナに設定する設定手段とを備える、コンテナ表示制御装置。
【請求項２】
サーバに記録された複数カテゴリの複数のコンテンツの中から、ユーザ操作に基づいて、第１カテゴリのコンテンツのみを再生可能なコンテンツ再生装置に再生させるべき所望のコンテンツを検索するために、複数の階層構造を有する複数のコンテナを表示装置に表示させるコンテナ表示制御装置であって、
最上位コンテナの１つ下の階層の１又は複数のコンテナに関するコンテナタイトルをサーバから取得するコンテナ情報取得手段と、
コンテナのカテゴリが前記第１カテゴリであるか否かを判断するための文字が予め登録されている文字登録部と、
最上位コンテナの１つ下の階層の各コンテナについて、タイトルの中に前記文字登録部に登録されている前記第１カテゴリであるか否かを判断するための文字が含まれているか否かを判断することによって、コンテナのカテゴリが前記第１カテゴリであるか否かを判断するカテゴリ判断手段と、
最上位コンテナの１つ下の階層の１又は複数のコンテナの内、カテゴリが前記第１カテゴリであるコンテナが１つのみであるか否かを判断する判断手段と、
カテゴリが前記第１カテゴリであるコンテナが１つのみである場合に、最上位コンテナの１つ下の階層の１又は複数のコンテナの一覧を表示させることなく、カテゴリが前記第１カテゴリであるコンテナの１つ下の階層の１又は複数のコンテナの一覧を前記表示装置に表示させる表示制御手段とを備える、コンテナ表示制御装置。
【請求項３】
カテゴリが前記第１カテゴリであるコンテナが１つのみでない場合に、前記表示制御手段が、最上位コンテナの１つ下の階層の１又は複数のコンテナの一覧を表示させる、請求項２に記載のコンテナ表示制御装置。
【請求項４】
前記文字登録部が、コンテナのカテゴリが前記第２カテゴリであるか否かを判断するための文字がさらに予め登録されており、
前記カテゴリ判断手段が、最上位コンテナの１つ下の階層の各コンテナについて、タイトルの中に前記文字登録部に登録されている前記第２カテゴリであるか否かを判断するための文字が含まれているか否かを判断することによって、コンテナのカテゴリが前記第２カテゴリであるか否かをさらに判断し、
前記カテゴリが前記第１カテゴリであるコンテナが１つのみでない場合に、前記表示制御手段が、最上位コンテナの１つ下の階層の１又は複数のコンテナの内、カテゴリが前記第２カテゴリであるコンテナを表示させず、残りのコンテナの一覧を表示させる、請求項２に記載のコンテナ表示制御装置。
【請求項５】
請求項１〜４のいずれかに記載のコンテナ表示制御装置の各手段をコンピュータに実行させる、コンテナ表示制御プログラム。
【発明の詳細な説明】
【技術分野】
【０００１】
本発明は、ユーザ操作によってコンテンツを検索するための複数階層のコンテナを表示装置に表示させるコンテナ表示制御装置及びそのプログラムに関する。
【背景技術】
【０００２】
ＡＶアンプ等のコンテンツ再生装置は、サーバに記録されているコンテンツを、例えばストリーミング形式で取得し、再生することができる。サーバに記録されている多数のコンテンツの中からユーザが再生を所望するコンテンツを検索するために、ＡＶアンプは、サーバからコンテナ情報を取得し、表示装置にコンテナのリストを表示させる。コンテナは、図２に示すサーバに記録されているコンテンツを検索するためのツリーにおける各ノードを示すものであり、フォルダと呼ばれることもある。最上位のコンテナをｒｏｏｔコンテナといい、ｒｏｏｔコンテナの１つ下の階層には「すべての音楽」、「すべてのビデオ」および「すべてのイメージ」といったタイトルの３つのコンテナが含まれている。「すべての音楽」コンテナの階層を下位に移動させると、音楽コンテンツを検索可能であり、「すべてのビデオ」コンテナの階層を下位に移動させると、ビデオコンテンツを検索可能であり、「すべてのイメージ」コンテナの階層を下位に移動させると、イメージコンテンツを検索可能である。
【０００３】
最初に、ＡＶアンプは、サーバからｒｏｏｔコンテナの１つ下の階層のコンテナに関するコンテナ情報を取得し、図６（ａ）に示すように、ｒｏｏｔコンテナの１つ下の階層のコンテナのタイトルを表示装置に表示させる。ユーザ操作によって、コンテナのタイトルに表示されているカーソルを移動させ、選択することによって、コンテナが選択され、ＡＶアンプは選択されたコンテナのさらに１つ下の階層のコンテナに関するコンテナ情報をサーバから取得して、コンテナのタイトルを表示する。例えば、「すべての音楽」コンテナが選択された場合、図６（ｂ）に示すように、「すべてのコンテンツ」コンテナ、「すべてのアーティスト」コンテナ、「すべてのアルバム」コンテナが表示される。このように、コンテナの選択を繰り返すことにより、最終的には選択されたコンテナによって検索可能なコンテンツのリストが表示され、ユーザは所望のコンテンツを検索できる。
【０００４】
ここで、ＡＶアンプが例えばオーディオコンテンツしか再生することができず、ビデオコンテンツやイメージコンテンツを再生できない場合がある。この場合、図６（ａ）において、「すべてのビデオ」コンテナが選択され、最終的にビデオコンテンツのリストが表示されるが、ＡＶアンプは、これらのビデオコンテンツを再生することがでないので、リストに含まれるビデオコンテンツには再生不可能である旨の情報が表示される。その結果、ユーザは、コンテナの階層を図６（ａ）に示すｒｏｏｔコンテナの１つ下の階層のコンテナのリストまで戻った後、「すべての音楽」コンテナを選択し直す必要がある。従って、これらの操作が非常に煩雑であり、所望のコンテンツを検索するまでに時間がかかるという問題がある。
【０００５】
この問題を解決するために、下記特許文献１に記載の再生装置が提案されている。この文献には、次の内容が記載されている。オーディオ再生装置２は、サーバ装置のルートコンテナにアクセスし、サーバ装置からルートコンテナ配下のコンテナにそれぞれ付されたタグ（コンテナ属性）を取得するリスト取得部２１０と、リスト取得部２１０が取得したタグに基づいて、オーディオコンテンツが含まれているコンテナの有無を判断するタグ解析部２３０と、タグ解析部２３０がオーディオコンテンツが含まれていると判断したコンテナの階層のみを表示する階層表示部２４０とを有する。しかし、サーバからコンテナに付されたタグを取得できない場合には、オーディオコンテンツが含まれるコンテナの有無を判断することができないという問題がある。
【先行技術文献】
【特許文献】
【０００６】
【特許文献１】特許第４２２９１８４号公報
【発明の概要】
【発明が解決しようとする課題】
【０００７】
本発明の目的は、サーバに記録された複数カテゴリの複数のコンテンツの中から、ユーザ操作に基づいて、第１カテゴリのコンテンツのみを再生可能なコンテンツ再生装置に再生させるべき所望のコンテンツを検索するために、複数の階層構造を有する複数のコンテナを表示装置に表示させるコンテナ表示制御装置であって、コンテナのタグを使用することなくコンテナのカテゴリを判断することにより、コンテンツ再生装置が再生不可能なコンテンツを検索するためのコンテナがユーザ操作によって誤って選択されることを防止するコンテナ表示制御装置を提供することである。
【課題を解決するための手段】
【０００８】
本発明の好ましい実施形態によるコンテナ表示制御装置は、サーバに記録された複数カテゴリの複数のコンテンツの中から、ユーザ操作に基づいて、第１カテゴリのコンテンツのみを再生可能なコンテンツ再生装置に再生させるべき所望のコンテンツを検索するために、複数の階層構造を有する複数のコンテナを表示装置に表示させるコンテナ表示制御装置であって、最上位コンテナの１つ下の階層の１又は複数のコンテナに関するコンテナ情報をサーバから取得するコンテナ情報取得手段と、コンテナのカテゴリが前記第１カテゴリであるか否かを判断するための文字が予め登録されている文字登録部と、最上位コンテナの１つ下の階層の各コンテナについて、タイトルの中に前記文字登録部に登録されている前記第１カテゴリであるか否かを判断するための文字が含まれているか否かを判断することによって、コンテナのカテゴリが前記第１カテゴリであるか否かを判断するカテゴリ判断手段と、最上位コンテナの１つ下の階層の１又は複数のコンテナの内、カテゴリが前記第１カテゴリであるコンテナが１つのみであるか否かを判断する判断手段と、カテゴリが前記第１カテゴリであるコンテナが１つのみである場合に、カテゴリが前記第１カテゴリであるコンテナを最上位コンテナに設定する設定手段とを備える。
【０００９】
最上位コンテナの１つ下の階層の１又は複数のコンテナの内、カテゴリが第１カテゴリであるコンテナが１つのみである場合には、第１カテゴリのコンテナが最上位コンテナに設定されるので、元の最上位コンテナの１つ下の階層の１又は複数のコンテナは表示されずに、第１カテゴリのコンテナの１つ下の階層の１又は複数のコンテナの一覧が最初に表示される。従って、元の最上位コンテナの１つ下の階層の１又は複数のコンテナにコンテンツ再生装置が再生できないカテゴリを検索するためのコンテナが存在する場合でも、ユーザ操作によって当該コンテナが選択されることが防止される。また、コンテナのカテゴリが第１カテゴリであるか否かを、コンテナのタイトルに第１カテゴリであると判断するための文字が含まれているか否かによって判断しているので、各コンテナのタグを取得できない場合でも、コンテナのカテゴリを判断することができる。コンテナのタイトルはコンテナを表示するために必要であるので、必ず取得できるからである。
【００１０】
本発明の別の好ましい実施形態によるコンテナ表示制御装置は、サーバに記録された複数カテゴリの複数のコンテンツの中から、ユーザ操作に基づいて、第１カテゴリのコンテンツのみを再生可能なコンテンツ再生装置に再生させるべき所望のコンテンツを検索するために、複数の階層構造を有する複数のコンテナを表示装置に表示させるコンテナ表示制御装置であって、最上位コンテナの１つ下の階層の１又は複数のコンテナに関するコンテナ情報をサーバから取得するコンテナ情報取得手段と、コンテナのカテゴリが前記第１カテゴリであるか否かを判断するための文字が予め登録されている文字登録部と、最上位コンテナの１つ下の階層の各コンテナについて、タイトルの中に前記文字登録部に登録されている前記第１カテゴリであるか否かを判断するための文字が含まれているか否かを判断することによって、コンテナのカテゴリが前記第１カテゴリであるか否かを判断するカテゴリ判断手段と、最上位コンテナの１つ下の階層の１又は複数のコンテナの内、カテゴリが前記第１カテゴリであるコンテナが１つのみであるか否かを判断する判断手段と、カテゴリが前記第１カテゴリであるコンテナが１つのみである場合に、最上位コンテナの１つ下の階層の１又は複数のコンテナの一覧を表示させることなく、カテゴリが前記第１カテゴリであるコンテナの１つ下の階層の１又は複数のコンテナの一覧を前記表示装置に表示させる表示制御手段とを備える。
【００１１】
元の最上位コンテナの１つ下の階層の１又は複数のコンテナは表示されずに、第１カテゴリのコンテナの１つ下の階層の１又は複数のコンテナの一覧が最初に表示される。従って、元の最上位コンテナの１つ下の階層の１又は複数のコンテナにコンテンツ再生装置が再生できないカテゴリを検索するためのコンテナが存在する場合でも、ユーザ操作によって当該コンテナが選択されることが防止される。また、コンテナのカテゴリが第１カテゴリであるか否かを、コンテナのタイトルに第１カテゴリであると判断するための文字が含まれているか否かによって判断しているので、各コンテナのタグを取得できない場合でも、コンテナのカテゴリを判断することができる。コンテナのタイトルはコンテナを表示するために必要であるので、必ず取得できるからである。
【００１２】
好ましい実施形態においては、カテゴリが前記第１カテゴリであるコンテナが１つのみでない場合に、前記表示制御手段が、最上位コンテナの１つ下の階層の１又は複数のコンテナの一覧を表示させる。
【００１３】
例えば、第１カテゴリのコンテナが２つ存在する場合には、ユーザ操作によって、再生可能なコンテンツを検索するための２つの第１カテゴリのコンテナの内、所望のコンテナを選択することができる。
【００１４】
好ましい実施形態においては、前記文字登録部が、コンテナのカテゴリが前記第２カテゴリであるか否かを判断するための文字がさらに予め登録されており、前記カテゴリ判断手段が、最上位コンテナの１つ下の階層の各コンテナについて、タイトルの中に前記文字登録部に登録されている前記第２カテゴリであるか否かを判断するための文字が含まれているか否かを判断することによって、コンテナのカテゴリが前記第２カテゴリであるか否かをさらに判断し、前記カテゴリが前記第１カテゴリであるコンテナが１つのみでない場合に、前記表示制御手段が、最上位コンテナの１つ下の階層の１又は複数のコンテナの内、カテゴリが前記第２カテゴリであるコンテナを表示させず、残りのコンテナの一覧を表示させる。
【００１５】
例えば、第１カテゴリのコンテナが２つ存在し、第２カテゴリのコンテナが１つ存在する場合に、２つの第１カテゴリのコンテナのみが表示され、１つの第２カテゴリのコンテナは表示されない。従って、ユーザ操作によって、再生可能なコンテンツを検索するための２つの第１カテゴリのコンテナの内、所望のコンテナを選択することができ、かつ、再生不可能なコンテンツを検索するための第２カテゴリのコンテナが誤って選択されることを防止できる。
【発明の効果】
【００１６】
サーバに記録された複数カテゴリの複数のコンテンツの中から、ユーザ操作に基づいて、第１カテゴリのコンテンツのみを再生可能なコンテンツ再生装置に再生させるべき所望のコンテンツを検索するために、複数の階層構造を有する複数のコンテナを表示装置に表示させるコンテナ表示制御装置であって、コンテナのタグを使用することなくコンテナのカテゴリを判断することにより、コンテンツ再生装置が再生不可能なコンテンツを検索するためのコンテナがユーザ操作によって誤って選択されることを防止することができる。
【図面の簡単な説明】
【００１７】
【図１】本発明の好ましい実施形態によるＡＶアンプ１００及びサーバ２００を示すブロック図である。
【図２】複数階層のコンテナを含むツリーを示す図である。
【図３】ｒｏｏｔコンテナの１つ下の階層のコンテナのコンテナ情報を示す図である。
【図４】文字リストを示す図である。
【図５】カテゴリがオーディオのコンテナがｒｏｏｔコンテナに設定された際のツリーを示す図である。
【図６】（ａ）はｒｏｏｔコンテナの１つ下の階層のコンテナのリストを示す図であり、（ｂ）は「すべての音楽」コンテナの１つ下の階層のコンテナのリストを示す図である。
【図７】マイコン１の処理を示すフローチャートである。
【図８】ｒｏｏｔコンテナの１つ下の階層のコンテナのコンテナ情報を示す図である。
【図９】ｒｏｏｔコンテナの１つ下の階層のコンテナのリストを示す図である。
【図１０】マイコン１の処理を示すフローチャートである。
【図１１】ｒｏｏｔコンテナの１つ下の階層のコンテナのリストであり、カテゴリがビデオ又はイメージのコンテナを非表示にした図である。
【発明を実施するための形態】
【００１８】
以下、本発明の好ましい実施形態について、図面を参照して具体的に説明するが、本発明はこれらの実施形態には限定されない。
【００１９】
図１は、本発明の好ましい実施形態によるコンテンツ再生装置（以下、ＡＶアンプという。）１００を示すブロック図である。ＡＶアンプ１００は、サーバ２００にインターネット又はＬＡＮ等の任意のネットワーク、電気通信回線を介して接続可能であり、サーバ２００に記録されたコンテンツを例えばストリーミング形式で取得して、再生する。サーバ２００に記録されているコンテンツには、複数カテゴリのコンテンツが含まれる。カテゴリとは、オーディオコンテンツ、ビデオコンテンツ、イメージコンテンツ等のコンテンツの種類のことをいう。ＡＶアンプ１００は、サーバ２００に記録された複数カテゴリのコンテンツの内、第１カテゴリのコンテンツしか再生することができず、１又は複数の第２カテゴリのコンテンツを再生することはできない。本例では、第１カテゴリはオーディオコンテンツであり、第２コンテンツはビデオコンテンツ及びイメージコンテンツである。
【００２０】
ＡＶアンプ１００は、マイコン１等の制御部、ＲＡＭ２、ＲＯＭ３、通信部４、再生部５、表示部６及び操作部７を備える。
【００２１】
マイコン１は、ＲＯＭ３に格納されているＡＶアンプ１００の動作プログラム（コンテナ表示制御プログラムを含む）をＲＡＭ２に読み出して実行することにより、後述の各処理を実行する。通信部４は、サーバ２００とネットワーク経由で通信し、サーバ２００との間で各コマンドを送受信し、又は、サーバ２００からコンテンツやコンテナ情報を取得する。再生部５は、サーバ２００から取得したコンテンツを再生（デコード、Ｄ／Ａ変換及び増幅等）する。再生部５には、スピーカーが接続され、スピーカーから音声が再生される。表示部６は、コンテナリストやコンテンツリスト等を表示する、又は、これらのＯＳＤ画面を生成し、外部に接続される表示装置に表示させる。操作部７は、ユーザ操作を受け付けるものであり、操作ボタンやリモコン等である。
【００２２】
図２は、サーバ２００に記録されている複数カテゴリのコンテンツを検索するための複数階層のコンテナを含むツリーを示す。最上位のコンテナをｒｏｏｔコンテナという。ｒｏｏｔコンテナの１つ下の階層のコンテナにはコンテンツと同様にカテゴリという概念が設けられている。つまり、カテゴリがオーディオ（第１カテゴリ）であるコンテナはオーディオコンテンツを検索するためのコンテナであり、カテゴリがビデオ（第２カテゴリ）であるコンテナはビデオコンテンツを検索するためのコンテナであり、カテゴリがイメージ（第２カテゴリ）であるコンテナはイメージコンテンツを検索するためのコンテナである。
【００２３】
図２では、ｒｏｏｔコンテナの１つ下の階層には「すべての音楽」、「すべてのビデオ」、「すべてのイメージ」といったタイトルの３つのコンテナが含まれている。詳細は後述するが、「すべての音楽」のカテゴリはオーディオであり、下位の階層に移動することによりオーディオコンテンツを検索できる。「すべてのビデオ」のカテゴリはビデオであり、下位の階層に移動することによりビデオコンテンツを検索できる。「すべてのイメージ」のカテゴリはイメージであり、下位の階層に移動することによりイメージコンテンツを検索できる。なお、ｒｏｏｔ階層の１つ下の階層のコンテナの数は３つに限定されず、１つでも２つでもよい。
【００２４】
マイコン１は、ユーザ操作によってコンテンツを検索する画面を表示する指示が入力された場合、ｒｏｏｔコンテナの１つ下の階層のコンテナのコンテナ情報をサーバ２００に要求して取得する。図３は、コンテナ情報を示す図である。コンテナ情報には、コンテナＩＤと、コンテナタイトルとが含まれている。コンテナＩＤは、コンテナを一意に識別する識別情報であり、コンテナタイトルはコンテナリストに表示するコンテナのタイトルである。
【００２５】
マイコン１は、ｒｏｏｔコンテナの１つ下の階層の１又は複数のコンテナについて、コンテナのカテゴリを判断し、カテゴリがオーディオのコンテナが１つだけ存在するか否かを判断する。コンテナのカテゴリを判断する方法として、以下の方法が存在する。
【００２６】
つまり、コンテナのタイトルに所定の文字が含まれているか否かを判断することにより、コンテナのカテゴリを判断する。ＲＯＭ３には、図４に示す文字リストが格納されている。文字リストは、コンテナのカテゴリに対応付けて、当該カテゴリのコンテナのタイトルに含まれるべき文字が登録されている。従って、コンテナのタイトルにオーディオ、音楽、音声又はミュージック等の（カテゴリがオーディオであると判断するための）文字が含まれている場合には、当該コンテナのカテゴリはオーディオであると判断される。コンテナのタイトルにビデオ、映像、動画、映画又はムービー等の（カテゴリがビデオであると判断するための）文字が含まれている場合には、当該コンテナのカテゴリはビデオであると判断される。コンテナのタイトルにイメージ、静止画、画像、ピクチャー又は写真等の（カテゴリがイメージであると判断するための）文字が含まれている場合には、当該コンテナのカテゴリはイメージであると判断される。なお、コンテナのタイトルに文字リストに登録された文字のいずれも含まれない場合には、その他のカテゴリのコンテナと判断されるとよい。
【００２７】
例えば、図２及び図３に示すようなｒｏｏｔ階層の１つ下の階層のコンテナの場合には、上記条件に基づいて判断すると、タイトルが「すべての音楽」であるコンテナのカテゴリはオーディオであり、タイトルが「すべてのビデオ」であるコンテナのカテゴリはビデオであり、タイトルが「すべてのイメージ」であるコンテナのカテゴリはイメージである。
【００２８】
カテゴリがオーディオのコンテナが１つだけ存在する場合には、マイコン１は、カテゴリがオーディオのコンテナを新たなｒｏｏｔコンテナ（最上位階層のコンテナ）としてＲＡＭ２に記憶し、設定する。詳細には、マイコン１は、カテゴリがオーディオのコンテナのコンテナＩＤをＲＡＭ２に記憶する。つまり、図２の場合には、マイコン１は、タイトルが「すべての音楽」であるコンテナを新たなｒｏｏｔコンテナとして設定し、ＡＶアンプ１００にとっては、サーバ２００に記録されているコンテンツを検索するためのツリーは図５に示すように、「すべての音楽」コンテナ以下のコンテナしか存在しないように扱われる。
【００２９】
その結果、マイコン１は、ｒｏｏｔコンテナの１つ下の階層のコンテナのリストを表示させず、カテゴリがオーディオのコンテナを自動的に選択し、サーバ２００からカテゴリがオーディオのコンテナの１つ下の階層のコンテナのコンテナ情報を取得する。そして、マイコン１は、カテゴリがオーディオのコンテナの１つ下の階層のコンテナのリストを表示する。例えば、図２のようなツリーの場合、従来であれば図６（ａ）に示すようにｒｏｏｔコンテナの１つ下の階層のコンテナが表示されるので、ＡＶアンプ１００がビデオコンテンツやイメージコンテンツを再生できないにも関わらず、カテゴリがビデオ又はイメージのコンテナを選択可能になっていた。
【００３０】
一方、本例では、図５に示すようにカテゴリがオーディオである「すべての音楽」コンテナがｒｏｏｔコンテナに設定されるので、図６（ｂ）に示すように「すべての音楽」コンテナの１つ下の階層のコンテナである「すべてのコンテンツ」コンテナ、「すべてのアーティスト」コンテナ、「すべてのアルバム」コンテナが表示される。そして、ユーザによるコンテナの階層を上の階層に戻る操作によっても、元のｒｏｏｔコンテナの１つ下の階層のコンテナリスト（図６（ａ）参照）は表示されない。従って、ユーザ操作によって、カテゴリがビデオ又はイメージであるコンテナが誤って選択されることはない。なお、カテゴリがオーディオである「すべての音楽」コンテナの１つ下の階層のコンテナは３つに限定されず、１つでも２つでもよい。
【００３１】
図７は、本実施形態のマイコン１の処理を示す図である。マイコン１は、ユーザ操作によってコンテンツを検索する画面を表示する指示が入力されると、サーバ２００から図３に示すｒｏｏｔコンテナの１つ下の階層のコンテナのコンテナ情報を要求して取得する（Ｓ１）。マイコン１は、コンテナ情報内のコンテナのカテゴリを順番にチェックする（Ｓ２〜Ｓ１０）。まず、マイコン１は、コンテナ情報内の最初のコンテナ（ここでは、コンテナＩＤが１のコンテナ）を選択する（Ｓ２）。
【００３２】
マイコン１は、選択したコンテナのタイトルをコンテナ情報から読み出して、タイトルの文字列の中に、図４の文字リストにおいてカテゴリがオーディオであると判断するための文字（オーディオ、音楽、音声、ミュージック等）が含まれているか否かを判断する（Ｓ３）。含まれている場合には（Ｓ３でＹＥＳ）、マイコン１は、そのコンテナのカテゴリがオーディオであることをＲＡＭ２に記憶する（Ｓ４）。例えば、図３においてコンテナＩＤが１のコンテナは、タイトルに音楽という文字が含まれているので、カテゴリがオーディオであると判断され、その旨がＲＡＭ２に記憶される。そして、Ｓ９に進む。
【００３３】
Ｓ９において、マイコン１は、図３のコンテナ情報の全てのコンテナについてカテゴリをチェックしたか否かを判断する（Ｓ９）。ここでは、未だ全てのコンテナについてカテゴリをチェックし終えていないので（Ｓ９でＮＯ）、次のコンテナであるコンテナＩＤが２のコンテナにカテゴリのチェック対象を進めて（Ｓ１０）、Ｓ３に戻る。
【００３４】
コンテナＩＤ２のコンテナのタイトルにはカテゴリがオーディオであると判断するための文字（オーディオ、音楽、音声、ミュージック等）が含まれていない（Ｓ３でＮＯ）。マイコン１は、タイトルの文字列の中に、カテゴリがビデオであると判断するための文字（ビデオ、映像、動画、映画、ムービー等）が含まれているか否かを判断する（Ｓ５）。含まれている場合には（Ｓ５でＹＥＳ）、マイコン１は、そのコンテナのカテゴリがビデオであることをＲＡＭ２に記憶する（Ｓ６）。例えば、図３においてコンテナＩＤが２のコンテナは、タイトルにビデオという文字が含まれているので、カテゴリがビデオであると判断され、その旨がＲＡＭ２に記憶される。そして、Ｓ９に進む。
【００３５】
Ｓ９において、未だ全てのコンテナについてカテゴリをチェックし終えていないので（Ｓ９でＮＯ）、次のコンテナであるコンテナＩＤが３のコンテナにカテゴリのチェック対象を進めて（Ｓ１０）、Ｓ３に戻る。
【００３６】
コンテナＩＤ３のコンテナのタイトルにはカテゴリがオーディオであると判断するための文字（オーディオ、音楽、音声、ミュージック等）が含まれていない（Ｓ３でＮＯ）。また、コンテナＩＤ３のコンテナのタイトルにはカテゴリがビデオであると判断するための文字（ビデオ、映像、動画、映画、ムービー等）が含まれていない（Ｓ５でＮＯ）。マイコン１は、タイトルの文字列の中に、カテゴリがイメージであると判断するための文字（イメージ、静止画、画像、ピクチャー、写真等）が含まれているか否かを判断する（Ｓ７）。含まれている場合には（Ｓ７でＹＥＳ）、マイコン１は、そのコンテナのカテゴリがイメージであることをＲＡＭ２に記憶する（Ｓ８）。例えば、図３においてコンテナＩＤが３のコンテナは、タイトルにイメージという文字が含まれているので、カテゴリがイメージであると判断され、その旨がＲＡＭ２に記憶される。そして、Ｓ９に進む。
【００３７】
Ｓ９において、全てのコンテナについてカテゴリをチェックし終えたと判断されるので（Ｓ９でＹＥＳ）、マイコン１は、カテゴリがオーディオであるコンテナは１つだけ存在するか否かを判断する（Ｓ１１）。図３の例では、コンテナＩＤが１のコンテナのみがカテゴリがオーディオである（Ｓ１１でＹＥＳ）。従って、マイコン１は、カテゴリがオーディである唯一のコンテナ（ここでは、コンテナＩＤが１のコンテナ）を新たなｒｏｏｔコンテナとして設定し、そのコンテナＩＤをＲＡＭ２に記憶する（Ｓ１２）。その結果、以降の処理において当該サーバ２００からコンテンツを検索する際には、図５に示すように、カテゴリがオーディであるコンテナ（コンテナＩＤが１のコンテナ）をｒｏｏｔコンテナとしたツリーに基づいて、コンテンツが検索される。
【００３８】
マイコン１は、新たにｒｏｏｔコンテナに設定したコンテナＩＤが１のコンテナの１つ下の階層のコンテナのコンテナ情報をサーバ２００に要求して、取得する（Ｓ１３）。このコンテナ情報には、図５のツリーにおいて、コンテナＩＤが４〜６のコンテナ（タイトルが、「すべてのコンテンツ」、「すべてのアーティスト」、「すべてのアルバム」）の情報が含まれている。マイコン１は、取得したコンテナ情報における各コンテナのタイトルを読み出して、表示部に表示させる（Ｓ１４）。この場合、図６（ｂ）に示すように、「すべての音楽」コンテナの１つ下の階層である「すべてのコンテンツ」、「すべてのアーティスト」、「すべてのアルバム」のコンテナが表示され、ユーザ操作によって選択可能な状態になる。
【００３９】
以上のように、ｒｏｏｔコンテナの１つ下の階層のコンテナの中でカテゴリがオーディオのコンテナが１つだけである場合、そのコンテナの１つ下の階層が最初に表示される。従って、ユーザ操作によって、誤って、カテゴリがビデオ又はイメージのコンテナが選択され、コンテンツの検索に時間がかかるという問題を解決できる。
【００４０】
なお、Ｓ２において、ｒｏｏｔコンテナの１つ下の階層のコンテナのコンテナ情報として図８に示す情報を取得した場合を説明する。コンテナＩＤが１のコンテナはタイトルに音楽が含まれているので（Ｓ３でＹＥＳ）、カテゴリがオーディオである旨が記憶される（Ｓ４）。コンテナＩＤが２のコンテナはタイトルにビデオが含まれているので（Ｓ５でＹＥＳ）、カテゴリがビデオである旨が記憶される（Ｓ６）。コンテナＩＤが３のコンテナはタイトルにミュージックが含まれているので（Ｓ３でＹＥＳ）、カテゴリがオーディオである旨が記憶される（Ｓ４）。
【００４１】
従って、Ｓ１１において、カテゴリがオーディオであるコンテナが２つ存在すると判断される（Ｓ１１でＮＯ）。このとき、マイコン１は、図９に示すように、ｒｏｏｔコンテナの１つ下の階層のコンテナのタイトル（「すべての音楽」、「すべてのビデオ」、「すべてのミュージック」）を表示部に表示させる。つまり、ｒｏｏｔコンテナは、元のｒｏｏｔコンテナのまま維持され、図２のツリーに従ってコンテンツが検索される。従って、ユーザ操作によって、カテゴリがオーディオである「すべての音楽」又は「すべてのミュージック」のコンテナの内、所望する方を選択して、選択されたコンテナの１つ下の階層のコンテナを表示することができる。このように処理するのは、カテゴリがオーディオである２つのコンテナの内、一方のコンテナを自動的に選択し、選択されたコンテナを新たなｒｏｏｔコンテナとして設定した場合には、オーディコンテンツを検索可能なもう一方のコンテナからコンテンツを検索することができなくなるからである。
【００４２】
なお、カテゴリがオーディオであるコンテナが存在しない場合にも、上記と同様に、ｒｏｏｔコンテナの１つ下の階層のコンテナのタイトルを表示部に表示させる。つまり、ｒｏｏｔコンテナは、元のｒｏｏｔコンテナのまま維持され、図２のツリーに従ってコンテンツが検索される。また、図７の処理では、厳密には、Ｓ５〜Ｓ８の処理は必須ではない。つまり、コンテナのカテゴリがオーディオであるか否かさえ判断できればよく、コンテナのカテゴリがビデオであるかイメージであるかは不明でもよい。
【００４３】
図１０は、別の実施形態によるマイコン１の処理を示す。図７と比較して、Ｓ１５がＳ２１に変更されている。また、図７と異なり、Ｓ５〜Ｓ８は必須である。Ｓ２において、ｒｏｏｔコンテナの１つ下の階層のコンテナのコンテナ情報として図８に示す情報を取得した場合を説明する。コンテナＩＤが１のコンテナはタイトルに音楽が含まれているので（Ｓ３でＹＥＳ）、カテゴリがオーディオである旨が記憶される（Ｓ４）。コンテナＩＤが２のコンテナはタイトルにビデオが含まれているので（Ｓ５でＹＥＳ）、カテゴリがビデオである旨が記憶される（Ｓ６）。コンテナＩＤが３のコンテナはタイトルにミュージックが含まれているので（Ｓ３でＹＥＳ）、カテゴリがオーディオである旨が記憶される（Ｓ４）。
【００４４】
従って、Ｓ１１において、カテゴリがオーディオであるコンテナが２つ存在すると判断される（Ｓ１１でＮＯ）。このとき、マイコン１は、図１１に示すように、ｒｏｏｔコンテナの１つ下の階層のコンテナのタイトル（「すべての音楽」、「すべてのビデオ」、「すべてのミュージック」）の内、カテゴリがビデオ又はイメージのコンテナを表示させず、残りのコンテナのみを表示させる。つまり、「すべての音楽」および「すべてのミュージック」のコンテナのみが表示される。従って、ユーザ操作によって、カテゴリがオーディオである「すべての音楽」又は「すべてのミュージック」のコンテナの内、所望する方を選択して、選択されたコンテナの１つ下の階層のコンテナを表示することができる。さらに、カテゴリがビデオ又はイメージであるコンテナ（「すべてのビデオ」コンテナ）は表示されないので、ユーザ操作によって、誤ってカテゴリがビデオ又はイメージであるコンテナが選択されて、所望のコンテンツの検索に時間がかかるというも問題を防止できる。
【００４５】
以上、本発明の好ましい実施形態を説明したが、本発明はこれらの実施形態には限定されない。第１カテゴリがビデオコンテンツであり、第２カテゴリがオーディオコンテンツ及びイメージコンテンツであってもよい。また、カテゴリは、テキストや、ＰＣで使用されるファイル（ワードファイル、エクセルファイル、ＰＤＦファイル）等でもよい、コンテナ表示制御装置は、ＡＶアンプ１００だけではなく、ＴＶ受像機、ＰＣ、携帯電話、携帯型ＡＶプレーヤ、ゲーム機、ネットワークＡＶクライアント等の様々な製品に適用できる。本発明は、上記のコンテナ表示制御装置を動作させるためのコンピュータプログラムまたはそのコンピュータプログラムを記録した記録媒体という形態で提供されてもよい。
【産業上の利用可能性】
【００４６】
本発明はＡＶアンプ等のコンテンツ再生装置に好適に適用され得る。
【符号の説明】
【００４７】
１００      ＡＶアンプ
２００      サーバ
１          マイコン
２          ＲＡＭ
３          ＲＯＭ
４          通信部
５          再生部
６          表示部
７          操作部
【図１】
2011013703.tif 000003
【図２】
2011013703.tif 000004
【図３】
2011013703.tif 000005
【図４】
2011013703.tif 000006
【図５】
2011013703.tif 000007
【図６】
2011013703.tif 000008
【図７】
2011013703.tif 000009
【図８】
2011013703.tif 000010
【図９】
2011013703.tif 000011
【図１０】
2011013703.tif 000012
【図１１】
2011013703.tif 000013
【手続補正書】
【提出日】平成21年12月1日(2009.12.1)
【手続補正１】
【補正対象書類名】特許請求の範囲
【補正対象項目名】全文
【補正方法】変更
【補正の内容】
【特許請求の範囲】
【請求項１】
サーバに記録された複数カテゴリの複数のコンテンツの中から、ユーザ操作に基づいて、第１カテゴリのコンテンツのみを再生可能なコンテンツ再生装置に再生させるべき所望のコンテンツを検索するために、階層構造を有するコンテナを表示装置に表示させるコンテナ表示制御装置であって、
最上位コンテナの１つ下の階層の１又は複数のコンテナに関するコンテナタイトルをサーバから取得するコンテナタイトル取得手段と、
コンテナのカテゴリが前記第１カテゴリであることを示す識別情報が予め登録されている登録部と、
最上位コンテナの１つ下の階層の各コンテナについて、タイトルの中に前記登録部に登録されている前記第１カテゴリであることを示す識別情報が含まれているか否かを判断するカテゴリ判断手段と、
タイトルの中に前記第１カテゴリであることを示す識別情報が含まれているコンテナを最上位コンテナに設定する設定手段とを備える、コンテナ表示制御装置。
【請求項２】
最上位コンテナの１つ下の階層の１又は複数のコンテナの内、タイトルの中に前記第１カテゴリであることを示す識別情報が含まれているコンテナが１つのみであるか否かを判断する判断手段をさらに備え、
前記設定手段が、タイトルの中に前記第１カテゴリであることを示す識別情報が含まれているコンテナが１つのみである場合に、タイトルの中に前記第１カテゴリであることを示す識別情報が含まれているコンテナを最上位コンテナに設定する、コンテナ表示制御装置。
【請求項３】
サーバに記録された複数カテゴリの複数のコンテンツの中から、ユーザ操作に基づいて、第１カテゴリのコンテンツのみを再生可能なコンテンツ再生装置に再生させるべき所望のコンテンツを検索するために、階層構造を有するコンテナを表示装置に表示させるコンテナ表示制御装置であって、
最上位コンテナの１つ下の階層の１又は複数のコンテナに関するコンテナタイトルをサーバから取得するコンテナタイトル取得手段と、
コンテナのカテゴリが前記第１カテゴリであることを示す識別情報が予め登録されている登録部と、
最上位コンテナの１つ下の階層の各コンテナについて、タイトルの中に前記登録部に登録されている前記第１カテゴリであることを示す識別情報が含まれているか否かを判断するカテゴリ判断手段と、
最上位コンテナの１つ下の階層の１又は複数のコンテナの一覧を表示させることなく、タイトルの中に前記第１カテゴリであることを示す識別情報が含まれているコンテナの１つ下の階層の１又は複数のコンテナの一覧を前記表示装置に表示させる表示制御手段とを備える、コンテナ表示制御装置。
【請求項４】
最上位コンテナの１つ下の階層の１又は複数のコンテナの内、タイトルの中に前記第１カテゴリであることを示す識別情報が含まれているコンテナが１つのみであるか否かを判断する判断手段をさらに備え、
前記表示制御手段が、タイトルの中に前記第１カテゴリであることを示す識別情報が含まれているコンテナが１つのみである場合に、最上位コンテナの１つ下の階層の１又は複数のコンテナの一覧を表示させることなく、タイトルの中に前記第１カテゴリであることを示す識別情報が含まれているコンテナの１つ下の階層の１又は複数のコンテナの一覧を前記表示装置に表示させる、請求項３に記載のコンテナ表示制御装置。
【請求項５】
タイトルの中に前記第１カテゴリであることを示す識別情報が含まれているコンテナが１つのみでない場合に、前記表示制御手段が、最上位コンテナの１つ下の階層の１又は複数のコンテナの一覧を表示させる、請求項４に記載のコンテナ表示制御装置。
【請求項６】
前記登録部には、コンテナのカテゴリが前記第２カテゴリであることを示す識別情報がさらに予め登録されており、
前記カテゴリ判断手段が、最上位コンテナの１つ下の階層の各コンテナについて、タイトルの中に前記登録部に登録されている前記第２カテゴリであることを示す識別情報が含まれているか否かをさらに判断し、
タイトルの中に前記第１カテゴリであることを示す識別情報が含まれているコンテナが１つのみでない場合に、前記表示制御手段が、最上位コンテナの１つ下の階層の１又は複数のコンテナの内、タイトルの中に前記第２カテゴリであることを示す識別情報が含まれているコンテナを表示させず、残りのコンテナの一覧を表示させる、請求項４に記載のコンテナ表示制御装置。
【請求項７】
サーバに記録された複数カテゴリの複数のコンテンツの中から、ユーザ操作に基づいて、第１カテゴリのコンテンツのみを再生可能なコンテンツ再生装置に再生させるべき所望のコンテンツを検索するために、階層構造を有するコンテナを表示装置に表示させ、コンテナのカテゴリが前記第１カテゴリであることを示す識別情報が予め登録されている登録部を備えるコンテナ表示制御装置の動作プログラムであって、
最上位コンテナの１つ下の階層の１又は複数のコンテナに関するコンテナタイトルをサーバから取得するコンテナタイトル取得ステップと、
最上位コンテナの１つ下の階層の各コンテナについて、タイトルの中に前記登録部に登録されている前記第１カテゴリであることを示す識別情報が含まれているか否かを判断するカテゴリ判断ステップと、
タイトルの中に前記第１カテゴリであることを示す識別情報が含まれているコンテナを最上位コンテナに設定する設定ステップとをコンピュータに実行させる、コンテナ表示制御プログラム。
【請求項８】
サーバに記録された複数カテゴリの複数のコンテンツの中から、ユーザ操作に基づいて、第１カテゴリのコンテンツのみを再生可能なコンテンツ再生装置に再生させるべき所望のコンテンツを検索するために、階層構造を有するコンテナを表示装置に表示させ、コンテナのカテゴリが前記第１カテゴリであることを示す識別情報が予め登録されている登録部を備えるコンテナ表示制御装置の動作プログラムであって、
最上位コンテナの１つ下の階層の１又は複数のコンテナに関するコンテナタイトルをサーバから取得するコンテナタイトル取得ステップと、
最上位コンテナの１つ下の階層の各コンテナについて、タイトルの中に前記登録部に登録されている前記第１カテゴリであることを示す識別情報が含まれているか否かを判断するカテゴリ判断ステップと、
最上位コンテナの１つ下の階層の１又は複数のコンテナの一覧を表示させることなく、タイトルの中に前記第１カテゴリであることを示す識別情報が含まれているコンテナの１つ下の階層の１又は複数のコンテナの一覧を前記表示装置に表示させる表示制御ステップとをコンピュータに実行させる、コンテナ表示制御プログラム。
【手続補正書】
【提出日】平成22年2月15日(2010.2.15)
【手続補正１】
【補正対象書類名】特許請求の範囲
【補正対象項目名】全文
【補正方法】変更
【補正の内容】
【特許請求の範囲】
【請求項１】
最上位コンテナの１つ下の階層の１又は複数のコンテナに関するコンテナタイトルをサーバから取得するコンテナタイトル取得手段と、
コンテナのカテゴリが第１カテゴリであることを示す識別情報が予め登録されている登録部と、
最上位コンテナの１つ下の階層の各コンテナについて、タイトルの中に前記登録部に登録されている前記第１カテゴリであることを示す識別情報が含まれているか否かを判断するカテゴリ判断手段と、
タイトルの中に前記第１カテゴリであることを示す識別情報が含まれているコンテナを最上位コンテナに設定する設定手段とを備える、コンテナ表示制御装置。
【請求項２】
最上位コンテナの１つ下の階層の１又は複数のコンテナの内、タイトルの中に前記第１カテゴリであることを示す識別情報が含まれているコンテナが１つのみであるか否かを判断する判断手段をさらに備え、
前記設定手段が、タイトルの中に前記第１カテゴリであることを示す識別情報が含まれているコンテナが１つのみである場合に、タイトルの中に前記第１カテゴリであることを示す識別情報が含まれているコンテナを最上位コンテナに設定する、請求項１に記載のコンテナ表示制御装置。
【請求項３】
最上位コンテナの１つ下の階層の１又は複数のコンテナに関するコンテナタイトルをサーバから取得するコンテナタイトル取得手段と、
コンテナのカテゴリが第１カテゴリであることを示す識別情報が予め登録されている登録部と、
最上位コンテナの１つ下の階層の各コンテナについて、タイトルの中に前記登録部に登録されている前記第１カテゴリであることを示す識別情報が含まれているか否かを判断するカテゴリ判断手段と、
最上位コンテナの１つ下の階層の１又は複数のコンテナの一覧を表示させることなく、タイトルの中に前記第１カテゴリであることを示す識別情報が含まれているコンテナの１つ下の階層の１又は複数のコンテナの一覧を表示装置に表示させる表示制御手段とを備える、コンテナ表示制御装置。
【請求項４】
最上位コンテナの１つ下の階層の１又は複数のコンテナの内、タイトルの中に前記第１カテゴリであることを示す識別情報が含まれているコンテナが１つのみであるか否かを判断する判断手段をさらに備え、
前記表示制御手段が、タイトルの中に前記第１カテゴリであることを示す識別情報が含まれているコンテナが１つのみである場合に、最上位コンテナの１つ下の階層の１又は複数のコンテナの一覧を表示させることなく、タイトルの中に前記第１カテゴリであることを示す識別情報が含まれているコンテナの１つ下の階層の１又は複数のコンテナの一覧を前記表示装置に表示させる、請求項３に記載のコンテナ表示制御装置。
【請求項５】
タイトルの中に前記第１カテゴリであることを示す識別情報が含まれているコンテナが１つのみでない場合に、前記表示制御手段が、最上位コンテナの１つ下の階層の１又は複数のコンテナの一覧を表示させる、請求項４に記載のコンテナ表示制御装置。
【請求項６】
前記登録部には、コンテナのカテゴリが前記第２カテゴリであることを示す識別情報がさらに予め登録されており、
前記カテゴリ判断手段が、最上位コンテナの１つ下の階層の各コンテナについて、タイトルの中に前記登録部に登録されている前記第２カテゴリであることを示す識別情報が含まれているか否かをさらに判断し、
タイトルの中に前記第１カテゴリであることを示す識別情報が含まれているコンテナが１つのみでない場合に、前記表示制御手段が、最上位コンテナの１つ下の階層の１又は複数のコンテナの内、タイトルの中に前記第２カテゴリであることを示す識別情報が含まれているコンテナを表示させず、残りのコンテナの一覧を表示させる、請求項４に記載のコンテナ表示制御装置。
【請求項７】
請求項１〜６のいずれかに記載のコンテナ表示制御装置の各手段をコンピュータに実行させる、コンテナ表示制御プログラム。
【手続補正書】
【提出日】平成22年6月18日(2010.6.18)
【手続補正１】
【補正対象書類名】特許請求の範囲
【補正対象項目名】全文
【補正方法】変更
【補正の内容】
【特許請求の範囲】
【請求項１】
最上位コンテナの１つ下の階層の１又は複数のコンテナに関するコンテナタイトルをサーバから取得するコンテナタイトル取得手段と、
コンテナのカテゴリが第１カテゴリであることを示す識別情報、及び、コンテナのカテゴリが第２カテゴリであることを示す識別情報が予め登録されている登録部と、
最上位コンテナの１つ下の階層の各コンテナについて、タイトルの中に前記登録部に登録されている前記第１カテゴリであることを示す識別情報が含まれているか否か、及び、最上位コンテナの１つ下の階層の各コンテナについて、タイトルの中に前記登録部に登録されている前記第２カテゴリであることを示す識別情報が含まれているか否かを判断するカテゴリ判断手段と、
最上位コンテナの１つ下の階層の１又は複数のコンテナの内、タイトルの中に前記第１カテゴリであることを示す識別情報が含まれているコンテナが１つのみであるか否かを判断する判断手段と、
タイトルの中に前記第１カテゴリであることを示す識別情報が含まれているコンテナが１つのみである場合に、最上位コンテナの１つ下の階層の１又は複数のコンテナの一覧を表示させることなく、タイトルの中に前記第１カテゴリであることを示す識別情報が含まれているコンテナの１つ下の階層の１又は複数のコンテナの一覧を表示装置に表示させ、タイトルの中に前記第１カテゴリであることを示す識別情報が含まれているコンテナが１つのみでない場合に、最上位コンテナの１つ下の階層の１又は複数のコンテナの内、タイトルの中に前記第２カテゴリであることを示す識別情報が含まれているコンテナを表示させず、残りのコンテナの一覧を表示させる表示制御手段とを備える、コンテナ表示制御装置。
【請求項２】
コンテナのカテゴリが第１カテゴリであることを示す識別情報、及び、コンテナのカテゴリが第２カテゴリであることを示す識別情報が予め登録されている登録部を備えるコンテナ表示制御装置の動作プログラムであって、
最上位コンテナの１つ下の階層の１又は複数のコンテナに関するコンテナタイトルをサーバから取得するコンテナタイトル取得ステップと、
最上位コンテナの１つ下の階層の各コンテナについて、タイトルの中に前記登録部に登録されている前記第１カテゴリであることを示す識別情報が含まれているか否か、及び、最上位コンテナの１つ下の階層の各コンテナについて、タイトルの中に前記登録部に登録されている前記第２カテゴリであることを示す識別情報が含まれているか否かを判断するカテゴリ判断ステップと、
最上位コンテナの１つ下の階層の１又は複数のコンテナの内、タイトルの中に前記第１カテゴリであることを示す識別情報が含まれているコンテナが１つのみであるか否かを判断する判断ステップと、
タイトルの中に前記第１カテゴリであることを示す識別情報が含まれているコンテナが１つのみである場合に、最上位コンテナの１つ下の階層の１又は複数のコンテナの一覧を表示させることなく、タイトルの中に前記第１カテゴリであることを示す識別情報が含まれているコンテナの１つ下の階層の１又は複数のコンテナの一覧を表示装置に表示させ、タイトルの中に前記第１カテゴリであることを示す識別情報が含まれているコンテナが１つのみでない場合に、最上位コンテナの１つ下の階層の１又は複数のコンテナの内、タイトルの中に前記第２カテゴリであることを示す識別情報が含まれているコンテナを表示させず、残りのコンテナの一覧を表示させる表示制御ステップとを前記コンテナ表示制御装置に実行させる、コンテナ表示制御プログラム。